(57)【要約】【課題】  安価で使いやすく、衛生状態を容易に維持できる給水装置を提供する。【解決手段】  樹脂製フィルムで形成される水袋１２を水袋容器１４に収容する。水袋容器１４の側面には開口１６があり、この開口１６に水栓装置１６を水袋１２の内部まで突き刺すことで、水袋１２内の水を外部に取り出すことができる。水栓装置２０は、水袋１２に突き刺された状態で水袋容器１４の紙材を間に挟み込む位置に、紙材の厚みに相当する間隔のフランジ３２，３４を有する。これに対応して、水袋容器１４の開口１６の周縁には、水栓装置２０が水袋１２に突き刺さった状態でフランジ３２，３４間に位置する１以上の舌片１９を形成してある。【選択図】  図１
2018131219.tif 000002
【特許請求の範囲】
【請求項１】
水を収容する、樹脂製フィルムで形成される水袋１２と、
当該水袋に突き刺すことで当該水袋内の当該水を外部に取り出し可能な水栓装置２０と、
当該水袋を収容する、紙材で形成される水袋容器１４
とを有する給水装置であって、
当該水栓装置２０が、
先端部２４を錐状に形成した中空の穿刺筒であって、当該水袋に突き刺した状態で当該水袋１２内に位置する１以上の通水口２６を有する穿刺筒２２と、
当該穿刺筒２２の当該通水口２６と連通する水栓４０と、
当該穿刺筒２２が当該水袋に突き刺された状態で当該水袋容器の当該紙材を間に挟み込む位置に、当該紙材の厚みに相当する間隔で当該穿刺筒の側面に形成される第１及び第２のフランジ３２，３４
とを有し、
当該水袋容器１４が、当該穿刺筒を挿通可能な、当該第１及び第２のフランジよりも小さなサイズの開口１６と、当該開口１６の周縁にあって、当該水栓装置２０が当該水袋１２に突き刺さった状態で当該フランジ３２，３４間に位置する１以上の舌片１９とを有する
ことを特徴とする給水装置。
【請求項２】
当該紙材が段ボール紙であることを特徴とする請求項１に記載の給水装置。
【請求項３】
当該紙材が厚紙であることを特徴とする請求項１に記載の給水装置。
【請求項４】
当該通水口２６が当該錐状の面に形成されていることを特徴とする請求項１から３のいずれか１項に記載の給水装置。
【請求項５】
当該水栓４０が当該穿刺筒２２から取り外し可能であることを特徴とする請求項１から４のいずれか１項に記載の給水装置。
【請求項６】
当該水栓装置２０が更に、第２のフランジ３４との間に、厚紙で形成された当該水袋容器の当該厚紙を保持する第３のフランジ５８を有することを特徴とする請求項１から５のいずれか１項に記載の給水装置。
【請求項７】
当該開口１６が、当該水袋容器の利用者への搬送時には閉成されていることを特徴とする請求項１から６のいずれか１項に記載の給水装置。
【請求項８】
当該開口１６が、当該開口の中心を示すマークを記したフィルムシール材でシールされていることを特徴とする請求項１から７のいずれか１項に記載の給水装置。
【請求項９】
水を収容する、樹脂製フィルムで形成される水袋１２を収容する、紙材で形成される水袋容器であって、
当該水袋に突き刺すことで当該水袋内の当該水を外部に取り出し可能な水栓装置２０であって、当該水袋に突き刺された状態で当該水袋容器の当該紙材を間に挟み込む位置に、当該紙材の厚みに相当する間隔の第１及び第２のフランジ３２，３４を有する水栓装置を通す開口１６と、
当該開口１６の周縁にあって、当該水栓装置２０が当該水袋１２に突き刺さった状態で当該フランジ３２，３４間に位置する１以上の舌片１９
とを有することを特徴とする水袋容器。
【請求項１０】
当該紙材が段ボール紙であることを特徴とする請求項９に記載の水袋容器。
【請求項１１】
当該紙材が厚紙であることを特徴とする請求項９に記載の水袋容器。
【請求項１２】
当該開口１６が、搬送時に閉成されていることを特徴とする請求項９から１１のいずれか１項に記載の水袋容器。
【請求項１３】
当該開口１６が、当該開口の中心を示すマークを記したフィルムシール材でシールされていることを特徴とする請求項９から１２のいずれか１項に記載の水袋容器。
【請求項１４】
水を収容する、樹脂製フィルムで形成される水袋１２であって、紙材で形成される水袋容器１４に収容される水袋に突き刺すことで当該水袋内の当該水を外部に取り出し可能な水栓装置であって、
先端部２４を錐状に形成した中空の穿刺筒であって、当該水袋１２に突き刺した状態で当該水袋１２内に位置する１以上の通水口２６を有する穿刺筒２２と、
当該穿刺筒２２の当該通水口２６と連通する水栓４０と、
当該穿刺筒２２が当該水袋１２に突き刺された状態で当該水袋容器１４の当該紙材を間に挟み込む位置に、当該紙材の厚みに相当する間隔で当該穿刺筒の側面に形成される第１及び第２のフランジ３２，３４
とを有することを特徴とする水栓装置。
【請求項１５】
当該通水口２６が当該錐状の面に形成されていることを特徴とする請求項１４に記載の水栓装置。
【請求項１６】
当該水栓４０が当該穿刺筒２２から取り外し可能であることを特徴とする請求項１４または１５に記載の水栓装置。
【請求項１７】
更に、第２のフランジ３４との間に、厚紙で形成された当該水袋容器１４の当該厚紙を保持する第３のフランジ５８を有することを特徴とする請求項１４から１６のいずれか１項に記載の水栓装置。
【発明の詳細な説明】
【技術分野】
【０００１】
本発明は、給水装置、水袋容器及び水栓装置に関し、より具体的には、水袋に収容された水を自在に提供できる給水装置と、この給水装置のための水袋容器及び水栓装置に関する。
【背景技術】
【０００２】
容器に飲用水を収容し、水栓から自在に取り出せるようにした、いわゆるウオーターサーバが商品化され、個人宅や職場に設置されるようになってきている。
【０００３】
ウオーターサーバに飲用水を補給するときには、一般に、飲用水を収容した容器を交換設置する方法が採用される。そのような容器として、ペットボトルと、柔軟なポリエチレン等の樹脂製フィルムの水袋が知られている。後者の場合、水袋を安定的に収容する筐体を別途必要とすると共に、水栓装置を筐体内の水袋に連通する構成が必要となる（特許文献１〜３参照）。
【０００４】
特許文献１，２には、水袋に突き刺すタイプの水栓装置を使用することが開示されており、水袋を収容する筐体には、突き刺しタイプの水栓装置を誘導する誘導パイプが予め、外側に突出するように固定されている。特許文献３には、水袋を収容する筐体を段ボール製とし、出荷時に予め、注出栓（水栓）をネジ止め可能な抽出口を、その筐体及び水袋に固定した構成が記載されている。
【先行技術文献】
【特許文献】
【０００５】
【特許文献１】特開２０１４−２１０６１５号公報
【特許文献２】特開２０１６−０２２９８６号公報
【特許文献３】特開２００８−０１８９７８号公報
【発明の概要】
【発明が解決しようとする課題】
【０００６】
ペットボトル方式は、必然的に大型化し、重量が増すことから、ペットボトルを受け入れる筐体も大型化且つ頑丈な構造のものにならざるを得ず、製造コストが増しやすい。これに対し、水袋方式はペットボトルに比べて小容量に向いていることから、水袋容器も頑丈な構造を要求されず、満タン状態の水袋を保持できる強度さえあればよく、例えば、段ボール紙または強化紙で形成される箱でも利用可能となる。
【０００７】
特許文献１，２に記載の構成では、水栓装置を誘導する誘導パイプが外部に突出することになり、搬送時に邪魔になるだけでなく、ある程度の強度も必要なことから、製造及び搬送の両面でコスト増を招く。誘導パイプが水袋容器の底面側に配置される場合、水栓装置を突き刺す作業がしにくくなる。また、突き刺した水栓装置を安定的に保持する手段が用意されていないので、不要な振動等により、水栓装置が脱落または落下してしまう可能性があり、その脱落または落下を防止する機構もコスト増を招く。
【０００８】
日本は安全な飲用水が潤沢に供給されていることから、ウオーターサーバは、安価に提供できるものでなければならず、コスト低減の要求は強い。
【０００９】
また、地震、火山等、甚大な被害をもたらす自然災害が多い日本では、簡易且つ安価に飲用水を搬送及び提供できるシステムに対する社会的需要が高い。例えば、災害時等での避難場所での利用を考えると、搬送の容易さ、利用のしやすさ、及び衛生の維持は重要である。
【００１０】
本発明は、このような状況に鑑み、安価で使いやすく、衛生状態を容易に維持できる給水装置と、このための水袋容器及び水栓装置を提示することを目的とする。
【課題を解決するための手段】
【００１１】
本発明に係る給水装置は、水を収容する、樹脂製フィルムで形成される水袋と、当該水袋に突き刺すことで当該水袋内の当該水を外部に取り出し可能な水栓装置と、当該水袋を収容する、紙材で形成される水袋容器とを有する給水装置であって、当該水栓装置が、先端部を錐状に形成した中空の穿刺筒であって、当該水袋に突き刺した状態で当該水袋内に位置する１以上の通水口を有する穿刺筒と、当該穿刺筒の当該通水口と連通する水栓と、当該穿刺筒が当該水袋に突き刺された状態で当該水袋容器の当該紙材を間に挟み込む位置に、当該紙材の厚みに相当する間隔で当該穿刺筒の側面に形成される第１及び第２のフランジとを有し、当該水袋容器が、当該穿刺筒を挿通可能な、当該第１及び第２のフランジよりも小さなサイズの開口と、当該開口の周縁にあって、当該水栓装置が当該水袋に突き刺さった状態で当該フランジ間に位置する１以上の舌片とを有することを特徴とする。
【００１２】
本発明に係る水袋容器は、水を収容する、樹脂製フィルムで形成される水袋を収容する、紙材で形成される水袋容器であって、当該水袋に突き刺すことで当該水袋内の当該水を外部に取り出し可能な水栓装置であって、当該水袋に突き刺された状態で当該水袋容器の当該紙材を間に挟み込む位置に、当該紙材の厚みに相当する間隔の第１及び第２のフランジを有する水栓装置を通す開口と、当該開口の周縁にあって、当該水栓装置が当該水袋に突き刺さった状態で当該フランジ間に位置する１以上の舌片とを有することを特徴とする。
【００１３】
本発明に係る水栓装置は、水を収容する、樹脂製フィルムで形成される水袋であって、紙材で形成される水袋容器に収容される水袋に突き刺すことで当該水袋内の当該水を外部に取り出し可能な水栓装置であって、先端部を錐状に形成した中空の穿刺筒であって、当該水袋に突き刺した状態で当該水袋内に位置する１以上の通水口を有する穿刺筒と、当該穿刺筒の当該通水口と連通する水栓と、当該穿刺筒が当該水袋に突き刺された状態で当該水袋容器の当該紙材を間に挟み込む位置に、当該紙材の厚みに相当する間隔で当該穿刺筒の側面に形成される第１及び第２のフランジとを有することを特徴とする。
【発明の効果】
【００１４】
本発明によれば、衛生状態を容易に維持できる、ウオーターサーバのような給水装置を提供できる。飲用水の補給も容易且つ安価に実現できる。
【図面の簡単な説明】
【００１５】
【図１】本発明の一実施例の主要部品の分解斜視図である。
【図２】水袋容器の開口と水栓装置との位置関係及び水栓装置の縦断面を示す図である。
【図３】水栓を開いた状態の水栓装置の縦断面図である。
【図４】水栓装置を水袋に突き刺す各段階の説明図である。
【発明を実施するための形態】
【００１６】
以下、図面を参照して、本発明の実施例を詳細に説明する。
【実施例１】
【００１７】
図１は、本発明に係る給水装置の一実施例を構成する主要部品の斜視図を示す。本実施例の給水装置１０は、飲用水を外気無しに収納した水袋１２、水袋１２をぴったりと収容する段ボール紙製または厚紙製の水袋容器１４、及び突き刺しタイプの水栓装置２０からなる。水袋容器１４の側面の下側には、水栓装置２０の円錐状に尖った先端部分を挿通可能な円形の開口１６を設けてある。
【００１８】
開口１６は、水袋１２を水袋容器１４に収容した状態で搬送されるときには、水袋１２を保護するために塞がれているのが好ましい。例えば、開口１６の周縁に相当する複数箇所に周方向の切り込みを入れておき、購入者は、開口１６に相当する部分を手で外すことで、容易に開口１６を設けることができるようにしておく。または、別途、シール材で開口１６を剥離可能に塞いでおいてもよい。前者の場合、詳細は後述するが、水袋１２を収容した水袋容器１４が利用者の手元に届くと、利用者は、まず開口１６に相当する部分を引き外すことで開口１６を開けることになる。
【００１９】
利用者は、水栓装置２０を開口１６に通して水袋１２に突き刺す。水袋１２に突き刺した水栓装置２０を水袋容器１４に安定に保持する構造は、後述する。
【００２０】
水袋１２は、次のように製造される。すなわち、ポリエチレン等の樹脂製フィルムを筒状の袋とし、その中に飲用水を挿入しつつ水面より下側を熱圧着することで、外気を排除した状態の、飲用水のみを収納した水袋１２を連続的に製造できる。水袋１２に収納する水量は、水袋１２を水袋容器１４に入れた状態で水袋１２が水袋容器１４の内壁全面に密着する程度に設定されている。これは、水栓装置２０の突き刺しを容易にするとともに、突き刺しの位置を維持できるようにするためである。
【００２１】
図２（ａ）は開口１６の平面図を示し、図２（ｂ）は、水栓装置２０の、水栓を閉めた状態の断面図を示す。
【００２２】
開口１６は円形であり、その外側には、周方向で所定角度（図示例では４５度）おきに半径方向に所定長の切り込み１８を設けることで、内側に折り曲げ可能な８個の舌片１９を形成してある。図２では、切り込み１８の内側を隣接する舌片１９の間で離間するように図示しているが、これは切り込み１８を判読容易にするために誇張して図示してだけであり、実際には、隣接する舌片１９間で密接するようになっていてもよい。
【００２３】
図２（ｂ）に示すように、水栓装置２０は、水袋１２に突き刺さる中空の穿刺筒２２を、開閉ボタンを押すことで水栓が開くプッシュ式の水栓４０の受水口４２を構成する受水筒４４に被せた構成からなる。穿刺筒２２は、いわば、水栓４０を水袋１２に使用可能にするアダプタである。例えば、受水筒４４の外周に雄ネジを切ると共に穿刺筒２２の内面に対応する雌ネジを切り、穿刺筒２２に受水筒４４をねじ込むことで、両者を固定する。水密を保つために、両者間にオーリング５６を介在させる。
【００２４】
穿刺筒２２の先端部２４は円錐状に尖っており、その円錐の斜面に複数の通水口２６を設けてある。穿刺筒２２は先端部２４から根元側に向けて、開口１６の直径よりも小さい外径の円筒部２８と、開口１６に挿通しうる、開口１６の直径と同程度または若干大きな外径の円筒部３０を有する。円筒部３０の周面には、舌片１９の折り曲げにより水袋容器１４の内部に入り込める外径のフランジ３２，３４を配置してある。フランジ３２，３４間の間隔は、水袋容器１４を段ボール紙で製造した場合の、その段ボール紙の紙厚に相当する。すなわち、穿刺筒２２を開口１６に差し込んだ状態で、フランジ３２，３４間に水袋容器１４を構成する段ボール紙を挟み込んで保持できる程度に、フランジ３２，３４間の間隔を設定してある。通水口２６は、穿刺筒２２の中空部分を介して水栓４０の受水口４２に連通する。
【００２５】
押しボタン４８の解放時には、図２（ｂ）に示すように、可動筒５０がスプリング５２により押し上げられた状態または位置にあり、この位置では、受水口４２から出水口４６への連通を遮へいしている。このとき、水栓４０は閉成状態にある。押しボタン４８を押下することで、スプリング５２に抗して、可動筒５０の側面の開口５４が受水口４２に対面する程に可動筒５０が下がると、図３に示すように、受水口４２が、開口５４を介して水栓４０の出水口４６に連通する。図３は、水栓４０を開けた状態の水栓装置２０の縦断面図を示す。図３に示す状態では、通水口２６から出水口４６への水流路６０が形成されるので、水袋１２内の水が出水口４６から排出され得る。水栓４０としては、種々の他の構成を採用でき、本発明は、図示例に限定されない。
【００２６】
水栓４０の受水筒４４の外面は、穿刺筒２２の円筒部３０の内面との間でオーリング５６により水密にシールされる。穿刺筒２２に対面する、水栓４０のフランジ５８とフランジ３４との間隔を、水袋容器１４を厚紙で構成した場合の、その厚紙をフランジ３４，５８間に挟み込んで保持できる程度にしてある。水袋容器１４を厚紙で形成している場合には、同じ水栓装置２０を使えるようにするためである。これにより、厚紙で形成した水袋容器にも水栓装置２０を適用可能になる。水栓装置２０または穿刺筒２２が単一の紙厚の水袋容器に対応すればよい場合には、フランジ３２、３４，５８のいずれかを省略できることは明らかである。
【００２７】
図４を参照して、水栓装置２０が開口１６において水袋容器１４に固定される手順を説明する。図４（ａ）に示す状態から、同（ｂ）、同（ｃ）、及び同（ｄ）と進んで、水栓装置２０が水袋１２を貫通し、フランジ３２，３４により水袋容器１４に固定された状態になる。
【００２８】
水栓装置２０を水袋容器１４内の水袋１２に突き刺す場合、突き刺しの容易さと、突き刺しの失敗に備えるために、開口１６のある面が上側に位置するように、水袋容器１４を回転し、この状態で、開口１６を介して水栓装置２０を水袋１２に突き刺す。水袋１２には水袋容器１４の内容積を満たす程度の飲用水を収容してあるので、開口１６のある面が上側に位置するように水袋容器１４を回転した状態でも、水袋１２を構成するフィルムは、開口１６を設けた水袋容器１４の面の内側に密接している。
【００２９】
図４（ａ）は、開口１６のある面が上側に位置するように水袋容器１４を回転し、水栓装置２０を開口１６に挿入する直前の状態を示す。図４（ｂ）は、水栓装置２０の穿刺筒２２が水袋１２を貫通したが，フランジ３２はまだ水袋容器１４の外側に位置する状態を示す。このとき、先端部２４は完全に、水袋１２の中に入っている。水栓装置２０を更に押し込むことで、図４（ｃ）に示すように、フランジ３２が舌片１９を少し内側に折り曲げた状態になり、更に水栓装置２０を押し込むと、図４（ｄ）に示すように、水袋容器１４を構成する段ボール紙がフランジ３２，３４間に入り込む。ユーザは、この段階で、水栓装置２０の水袋容器１４への差し込みをやめる。水袋容器１４を構成する段ボール紙がフランジ３２，３４間に入り込み、フランジ３２，３４間に保持されるので、水栓装置２０が開口１６から抜けにくくなる。この状態で、ユーザは、水袋容器１４を、水栓装置２０が側面に位置するように回転し、安定した台上に置く。以後は、水栓装置２０の水栓４０を開けると、水袋１２内の水が出水口４６から出力される。
【００３０】
本実施例では、外気から遮断した状態で飲用水を水袋１２に密封できること、及び、水袋１２から水栓装置２０の出水口４６までの経路での汚染可能性が低いことから、衛生状態を長期に良好な状態で維持できる。また、飲用水の補給も容易且つ安価に実現できる。
【００３１】
水栓装置２０が取付け状態で安定的に開口１６に保持される結果、水袋１２との結合も安定したものとなる。これにより、水袋１２に突き刺さった穿刺筒２２の周囲からの漏水の可能性を低減できると共に、衛生状態の確保も容易になる。
【００３２】
また、段ボール紙または厚紙等で水袋容器１４を構成するので、安価なウオーターサーバを構築できる。
【００３３】
上記実施例では、開口１６の直径を円筒部３０のそれと同程度としたが、円筒部２８のそれと同程度に小さくしても良い。こうすることにより、利用者は、開口１６の中心を狙いやすくなる。この場合、水袋１２に突き刺した水栓装置２０を水袋容器１４で保持する際に、円筒部３０の直径に相当する部分が邪魔になるので、対策として、この部分が水栓装置２０の差し込み操作により水袋容器１４から容易に分離する構成（例えば、ミシン目のような切り込みを設けた構成）としておけばよい。
【００３４】
開口１６を開けた状態で利用者に水袋容器１４を届ける場合、開口１６上に開口１６の中心位置を示すマークを記した薄いフィルムシール材を被せておく構成を採用しても良い。利用者はそのマークを目処にすることで、開口１６の中心に正しく且つ容易に穿刺筒２２を刺し込むことが可能になる。
【００３５】
飲用水を供給する実施例を説明したが、本発明は、飲用水以外の水または液体を、その品質を安定に維持しつつ供給する用途にも適用可能である。
【００３６】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【符号の説明】
【００３７】
１０：給水装置
１２：水袋
１４：水袋容器
１６：開口
１８：切り込み
１９：舌片
２０：水栓装置
２２：穿刺筒
２４：穿刺筒２２の先端部
２６：通水口
２８、３０：円筒部
３２，３４：フランジ
４０：水栓
４２：受水口
４４：受水筒
４６：出水口
４８：押しボタン
５０：可動筒
５２：スプリング
５４：開口
５６：オーリング
５８：フランジ
６０：水流路
【図１】
2018131219.tif 000003
【図２】
2018131219.tif 000004
【図３】
2018131219.tif 000005
【図４】
2018131219.tif 000006